(57)【要約】【課題】何度もリサイクル使用が可能であり、しかも、バンド部材で絞る作業を必要とせず、荷物を覆うことのできる荷崩れ防止ネットを提供する。【解決手段】全体がネット状であり、上下端部は開口しており、最上部と最下部にそれぞれ１個所（１３，１５）及び中間部に少なくとも１個所（１４）、弾性紐のリングが水平方向に設定されており、しかも最上部の弾性紐リング（１３）はその他の弾性紐リング（１４，１５）よりも直径が小さい。頂上布（１６）でネット（１０）の頂部を覆うこともできる。【選択図】図２
0003107177.tif 000002
【実用新案登録請求の範囲】
【請求項１】
全体がネット状であり、上下端部は開口しており、最上部と最下部にそれぞれ１個所（１３，１５）及び中間部に少なくとも１個所（１４）、弾性紐リングが水平方向に設定されており、しかも最上部の弾性紐リング（１３）はその他の弾性紐リング（１４，１５）よりも直径が小さいことを特徴とする荷崩れ防止ネット。
【請求項２】
頂上布（１６）でネット（１０）の頂部が覆われている請求項１記載の荷崩れ防止ネット。
【請求項３】
頂上布（１６）にパレット（１１）と連結するための連結紐（１７）が設けられている請求項３記載の荷崩れ防止ネット。
【請求項４】
不使用時に収納するためのポケット（１８）が設けられている請求項１ないし３のいずれかに記載の荷崩れ防止ネット。
【考案の詳細な説明】
【技術分野】
【０００１】
本考案は、荷崩れ防止ネットに関する。特に、荷物輸送用のパレットに搭載した荷物の荷崩れを防止するためのネットに関する。
【背景技術】
【０００２】
物流業界における荷物運搬具として、繰り返し使用可能な木製パレットが広く用いられている。このようなパレットは木材をすのこ状に組み合わせて構成されており、上下板の間に設けた空隙にフォークリフトのフォーク部分を挿入し持ち上げることにより、パレット上面に積載した荷物を容易に荷役し輸送することができる。
【０００３】
このパレットに搭載した荷物の輸送時における荷崩れを防止するために、従来、紐掛け、網掛け、シュリンク包装といった荷物固定方法が用いられている。紐掛けは、パレタイジングした荷物を紐で緊締することにより固定する方法である。網掛けは、端縁に複数のフック部を設けた一枚のネット部材を荷物の上に被せ、フック部をパレットに係止させて荷物を固定する方法である（下記特許文献１参照）。シュリンク包装とは、熱可塑性のプラスチックフィルムで荷物を覆った後、熱でプラスチックフィルムを収縮させて荷物を固定する方法である。
【特許文献１】特許第３２３１０２８号
【考案の開示】
【考案が解決しようとする課題】
【０００４】
上記特許文献１では、荷物にネット部材をかけた後、フック部をパレットに係止し、次いでバンド部材で絞る。しかし、フック部の形状や幅によってはパレットに係合できなかったり、逆に緩すぎて外れたりするので、必ずしも使いやすいものではなかった。また、フック部材は金属であるのが通常であるが、ネット部材を収納するときに邪魔となると共に、ネット部材を破ってしまうこともあった。
【０００５】
バンド部材についても、これを使っていちいち絞るのはかなりの手間と労力を要する。慣れないと絞る力の入れ方が分からず、強すぎて外すのに困ったり、弱すぎて荷物がぐらついたりすることがある。さらに、バンド部材が荷物の形状にうまく沿わないことがあり、そうなると少しの振動でも緩みが発生しやすい。
【０００６】
シュリンク包装では、使用後に大量に発生するフィルムの廃棄処分が問題となっている。
【０００７】
本考案は、何度もリサイクル使用が可能であり、しかも、フック掛けやバンド部材で絞る作業を必要としない荷崩れ防止ネットを提供することを目的とする。
【課題を解決するための手段】
【０００８】
本考案の荷崩れ防止ネットは、全体がネット状であり、上下端部は開口しており、最上部と最下部にそれぞれ１個所及び中間部に少なくとも１個所、弾性紐のリングが水平方向に設定されており、しかも最上部の弾性紐リングはその他の弾性紐リングよりも直径が小さいことを特徴とする。
【考案の効果】
【０００９】
本考案によれば、荷崩れ防止ネットにはフック部材が必要ないので、それに関する問題点がすべて解消される。
【００１０】
また、本考案によれば、荷物の荷崩れを防ぐのは、水平方向に設定されている弾性紐リングであり、バンド部材でいちいち絞るような作業は必要ない。したがって、誰でも熟練を要することなく、荷物を覆うことができる。
【００１１】
また、最上部の弾性紐リングはその他の弾性紐リングよりも直径が小さいので、次のような効果がある。
（１）荷崩れ防止ネットを荷物にかぶせて下端部を下に引き下ろすだけでよく、ネットの後端を調節しながら絞り上げる煩雑な作業が必要なくなる。
（２）荷崩れ防止ネットの上下が分かりやすいので、間違えることがない。
【００１２】
さらに、フィルムのシュリンク包装と異なり、何度でもリサイクル使用が可能であるので、廃棄物処理の問題がない。
【考案を実施するための最良の形態】
【００１３】
弾性紐は、例えばゴム紐のようなものである。その長さや強度は、予め実験的に測定して最適値を決定しておけばよい。パレットの寸法はＪＩＳ規格で定められているので、一度最適値を決定しておけば、繰り返しの使用により弾性紐の弾力が失われる場合を除き、そのまま使用することができる。一例として、直径５−１０mmのゴムを使用することができる。本考案では、弾性紐リングは、最上端及び最下端のそれぞれ１本配置するほか、中間部に少なくとも１本、好ましくは１−３本配置する。
【００１４】
ネットは、編み目を菱形とすることが好ましい。それにより、ネット全体が伸縮し、衝撃を受けても荷崩れしない。
【００１５】
好ましくは、円形又は多角形の頂上布でネットの頂部を覆う。好ましくは、頂上布には、少なくとも２個所、好ましくは４個所にパレットとの連結紐を取り付ける。この頂上布は、取り外し可能としてもよいが、ネットに対してハトメを介して固定するのが好ましい。頂上布と紐との接点もハトメで補強しておくのが好ましい。
【００１６】
この頂上布には次のような効果がある。
（１）荷物が汚れるのを防止する。特に、この荷物の上にさらに物、例えば別のパレットを載せたりするときに頂部が汚れるのを防止する。
（２）連結紐により、パレットとしっかりと連結することができる。
【００１７】
また、本考案では不使用時に収納するためのポケットを設けておくことが好ましい。そうすることにより、不使用時には小さくたためるので保管に便利である。
【実施例１】
【００１８】
以下、添付の図面に基づき、本考案の実施例を説明する。
【００１９】
図１は、本考案第１実施例に係る荷崩れ防止ネット１０の使用前の斜視図である。図２はパレット１１上の荷物１２にこのネット１０をかぶせた状態の斜視図である。
【００２０】
荷崩れ防止ネット１０は、全体がネット状であり、上端１３、中央１４、下端１５の３個所において、ゴム紐リングを水平方向に設定している。ネットの上下は開口している。
【００２１】
上端のゴム紐リング１３は、中央及び下端のゴム紐リング１４，１５よりも直径が小さい。このようにすることにより、次のような効果がある。
（１）荷崩れ防止ネットを荷物にかぶせて下端部を下に引き下ろすだけでよく、ネットの後端を調節しながら絞り上げる煩雑な作業が必要なくなる。
（２）荷崩れ防止ネットの上下が分かりやすいので、間違えることがない。
【００２２】
パレット上の荷物１２にこのネット１０をかぶせるには単に下部開口を広げ、荷物の上からかぶせ、ネット下部を引き下ろすようにすればよい。ゴム紐リングは自動的に適度な張力を持って荷物を押さえつけるので、誰でも熟練を要することなく、荷物を覆うことができる。
【００２３】
荷崩れ防止ネットの側部にはポケット１８が設けられているので、不使用時にはその中に収納可能である。
【実施例２】
【００２４】
図３は、本考案第２実施例に係る荷崩れ防止ネットをパレット上の荷物にかぶせた状態の斜視図である。
【００２５】
第１実施例と異なるのは、紐１７付きの頂上布１６がネットの頂部に設けられていることである。
【００２６】
頂上布１６はこの実施例では正方形であり、四隅にそれぞれパレットとの連結紐１７が取り付けられている。この頂上布は、ネット１０に縫付けられると共にハトメ１９を介して連結紐１７と固定されている。
【００２７】
この頂上布１６には次のような効果がある。
（１）荷物が汚れるのを防止する。特に、この荷物の上にさらに物、例えば別のパレットを載せたりするときに頂部が汚れるのを防止する。
（２）連結紐１７により、パレット１１としっかりと連結することができる。
【００２８】
この連結紐１７があると、第１実施例にあるようなネット中央部のゴム紐リングは必ずしも必要がないが、補強のために設けられている。
【図面の簡単な説明】
【００２９】
【図１】本考案第１実施例に係る荷崩れ防止ネットの使用前の斜視図である。
【図２】パレット上の荷物にこのネットをかぶせた状態の斜視図である。
【図３】本考案第２実施例に係る荷崩れ防止ネットをパレット上の荷物にかぶせた状態の斜視図である。
【符号の説明】
【００３０】
１０   荷崩れ防止ネット
１１   パレット
１２   荷物
１３   ネット上端の弾性紐
１４   ネット中央の弾性紐
１５   ネット下端の弾性紐
１６   頂上布
１７   連結紐
１８   ポケット
【図１】
0003107177.tif 000003
【図２】
0003107177.tif 000004
【図３】
0003107177.tif 000005